(57)【要約】【課題】優れた放熱機能を有し、ダウンサイジングすることができるキャンドモーターポンプ装置を提供する。【解決手段】所定の軸線に沿って延伸する定位ユニット１０と、モーターユニット２０と、ポンプ前蓋３０と、放熱蓋４０と、を備えたキャンドモーターポンプ装置であって、定位ユニット１０は、外周面１１１の軸線と直交する断面が多辺形である定位本体１１を有し、定位本体１１は、第１の側面と第２の側面を有すると共に、軸線に沿って延伸する内孔を内部に画成し、モーターユニット２０は、軸線に沿って内孔内に挿入するように定位ユニット１０に取り付けられ、ポンプ前蓋３０は、定位本体１１の第１の側面側に取り付けられ、放熱蓋４０は、定位本体１１の第２の側面側に取り付けられると共に、定位本体１１に当接される裏面４１と、裏面４１の反対側に位置する表面と、表面に突起状に形成される複数の放熱フィン４４と、を有する。【選択図】図１
0003225327.tif 000002
【実用新案登録請求の範囲】
【請求項１】
所定の軸線に沿って延伸する定位ユニットと、モーターユニットと、ポンプ前蓋と、放熱蓋と、を備えたキャンドモーターポンプ装置であって、
前記定位ユニットは、外周面の前記軸線と直交する断面が多辺形である定位本体を有し、
前記定位本体は、前記軸線と略直交する第１の側面と、前記第１の側面の反対側に位置する第２の側面と、を有すると共に、前記軸線に沿って前記第１の側面から前記第２の側面まで延伸する内孔を内部に形成し、
前記モーターユニットは、前記軸線に沿って前記内孔内に挿入するように前記定位ユニットに取り付けられるハウジングと、前記ハウジングと前記内孔との間に嵌め込まれるステーターと、前記軸線に沿って延伸し、且つ、前記ハウジング内に固定される回転軸と、前記回転軸に対して相対回転可能に前記回転軸に取り付けられるローターと、前記ローターに接続される羽根車と、を有し、
前記ポンプ前蓋は、前記羽根車を覆うと共に、前記定位本体の前記第１の側面側に取り付けられ、
前記放熱蓋は、前記定位本体の前記第２の側面側に取り付けられると共に、前記定位本体の前記第２の側面に当接される裏面と、前記裏面の反対側に位置する表面と、前記表面に突起状に形成される複数の放熱フィンと、を有する
ことを特徴とするキャンドモーターポンプ装置。
【請求項２】
前記放熱蓋の前記表面には、枠状の放熱外枠が突出するように形成されており、
各前記放熱フィンは、いずれも両端部が前記放熱外枠に接続されるように、互いに対して平行に形成されており、
前記放熱外枠の前記軸線と直交する断面の形状は、前記定位本体の前記外周面の前記軸線と直交する断面の形状に相似する
ことを特徴とする請求項１に記載のキャンドモーターポンプ装置。
【請求項３】
前記放熱外枠の前記軸線と直交する断面の輪郭の内側の面積は、前記定位本体の前記外周面の前記軸線と直交する断面の輪郭の内側の面積より大きい
ことを特徴とする請求項２に記載のキャンドモーターポンプ装置。
【請求項４】
前記定位ユニットは、前記定位本体から突出し、且つ、前記定位本体に一体的に連続するように作成された支持台座を有する
ことを特徴とする請求項１に記載のキャンドモーターポンプ装置。
【請求項５】
前記定位ユニットは、前記定位本体の前記第１の側面に取り付けられる環状部を有し、
前記モーターユニットの前記ハウジングは、内部に前記ローター及び前記回転軸を収容する収容空間が形成されるようにカップ状に形成されると共に、前記内孔内に挿入される中空筒と、前記中空筒から前記軸線と直交する方向へ張り出すフランジと、を有し、
前記フランジは、前記定位ユニットの前記環状部と前記ポンプ前蓋との間に挟まれて固定される
ことを特徴とする請求項１に記載のキャンドモーターポンプ装置。
【請求項６】
前記定位本体の前記外周面の前記軸線と直交する断面は、八角形である
ことを特徴とする請求項１に記載のキャンドモーターポンプ装置。
【考案の詳細な説明】
【技術分野】
【０００１】
本考案は液体を運送するポンプに関し、具体的には、キャンドモーターポンプに関する。
【背景技術】
【０００２】
一般的なポンプはポンプとモーターとを別々に製造し、それらをカップリングして使用する。そのため、ポンプケースには、回転軸を通すための貫通孔が穿設される。ポンプを使用して液体を運送するとき、該貫通孔と回転軸との間にある隙間から、液体が外部へ漏れる可能性がある。そこで、液体のリークを防止するため、モーターとポンプとを同軸結合して一体的に製造するキャンドモーターポンプが提案されている。キャンドモーターポンプは、ポンプケースに回転軸を通すための貫通孔が形成されていないため、液体がポンプ内から外部へリークすることを防いでいる。
【０００３】
特許文献１には、ポンプケースと、インペラと、格納シェルと、固定軸と、キャンドモーターと、を備えるキャンドモーターポンプが提案されている。キャンドモーターポンプのキャンドモーターは、固定子と、モーターケースと、モーター後フレームと、内側回転子と、を有し、該モーターケースには、図示されているように、複数の放熱フィンが配置されている。特許文献２と特許文献３には、特許文献１のモーターケースと似た構造を備えるキャンドモーターポンプが提案されている。
【０００４】
特許文献４には、ポンプケースと、インペラと、格納シェルと、内側回転子と、外側回転子と、固定軸と、ブラケットと、を備える磁気駆動ポンプが提案されている。該磁気駆動ポンプのブラケットは、円柱状構造である。
【先行技術文献】
【特許文献】
【０００５】
【特許文献１】台湾特許第Ｉ３８１１００号公報
【特許文献２】台湾実用新案第Ｍ３６９３９１号公報
【特許文献３】台湾特許第Ｉ４４１９８４号公報
【特許文献４】台湾特許第Ｉ４２４６６１号公報
【考案の概要】
【考案が解決しようとする課題】
【０００６】
特許文献１に係るキャンドモーターポンプは、モーターケースに配置された複数の放熱フィンにより、モーターの運転による熱を放熱する。しかし、このようなモーターケースは、構造が複雑で、製造コストが高くなる。さらに、放熱フィンがモーターケースの外周面に配置されているので、ポンプの全体的な体積が大きく、ダウンサイジングが難しい。
【０００７】
また、特許文献４に係る磁気駆動ポンプのブラケットは円柱状構造であるので、表面の放熱面積が小さい。さらに、該磁気駆動ポンプのブラケットには、他の放熱構造（例えば、放熱フィン）が設けられていない。これにより、磁気駆動ポンプの放熱機能が低下し、ポンプの寿命に影響する。
【０００８】
したがって、本考案は、上記問題を解決できるキャンドモーターポンプ装置を提供することを目的とする。
【課題を解決するための手段】
【０００９】
上記目的を達成するための手段として、本考案は、以下のキャンドモーターポンプ装置を提供する。
【００１０】
本考案に係るキャンドモーターポンプ装置は、
所定の軸線に沿って延伸する定位ユニットと、モーターユニットと、ポンプ前蓋と、放熱蓋と、を備えたキャンドモーターポンプ装置であって、前記定位ユニットは、外周面の前記軸線と直交する断面が多辺形である定位本体を有し、前記定位本体は、前記軸線と略直交する第１の側面と、前記第１の側面の反対側に位置する第２の側面と、を有すると共に、前記軸線に沿って前記第１の側面から前記第２の側面まで延伸する内孔を内部に形成し、前記モーターユニットは、前記軸線に沿って前記内孔内に挿入するように前記定位ユニットに取り付けられるハウジングと、前記ハウジングと前記内孔との間に嵌め込まれるステーターと、前記軸線に沿って延伸し、且つ、前記ハウジング内に固定される回転軸と、前記回転軸に対して相対回転可能に前記回転軸に取り付けられるローターと、前記ローターに接続される羽根車と、を有し、前記ポンプ前蓋は、前記羽根車を覆うと共に、前記定位本体の前記第１の側面側に取り付けられ、前記放熱蓋は、前記定位本体の前記第２の側面側に取り付けられると共に、前記定位本体の前記第２の側面に当接される裏面と、前記裏面の反対側に位置する表面と、前記表面に突起状に形成される複数の放熱フィンと、を有する。
【考案の効果】
【００１１】
上記構成によれば、本考案に係るキャンドモーターポンプ装置は、定位本体の外周面の軸線と直交する断面が多辺形に形成されたので、同じ半径を前提として、特許文献４に係る円柱状のブラケットより、放熱面積が大きい。
【００１２】
さらに、特許文献１に係るキャンドモーターポンプに比して、本考案においては、放熱フィンの配置位置を、モーターケース（本考案における定位本体に相当する）から放熱蓋の表面に変更した。これにより、ポンプの全体的な体積が小さくなり、ダウンサイジングすることができる。また、このような定位本体は、従来より構造が簡単で、製造コストが低くなる。
【００１３】
本考案は上述したことにより、優れた放熱機能を有し、且つダウンサイジングすることができるキャンドモーターポンプ装置を提供することができる。
【図面の簡単な説明】
【００１４】
【図１】本考案に係るキャンドモーターポンプ装置の一実施形態を示す斜視図である。
【図２】該実施形態の構成を示す分解斜視図である。
【図３】該実施形態の構成を示す断面図である。
【図４】放熱蓋の表面を示す図である。
【考案を実施するための形態】
【００１５】
以下、本考案に係るキャンドモーターポンプ装置の一実施形態について、図面を参照して説明する。
【００１６】
図１〜図３に示されているように、本実施形態は、所定の軸線Ｌに沿って延伸する定位ユニット１０と、モーターユニット２０と、ポンプ前蓋３０と、放熱蓋４０と、を備える。
【００１７】
定位ユニット１０は、外周面１１１の軸線Ｌと直交する断面が多辺形である定位本体１１と、定位本体１１から突出し、且つ、定位本体１１に一体的に連続するように作成された支持台座１２と、定位本体１１に取り付けられた環状部１３と、を有する。また、本実施形態において、定位本体１１の外周面１１１の軸線Ｌと直交する断面は、八角形であるが、本考案としては、この形状に限定されない。
【００１８】
定位本体１１は、軸線Ｌと略直交する第１の側面１１２と、第１の側面１１２の反対側に位置する第２の側面１１３と、を有すると共に、軸線Ｌに沿って第１の側面１１２から第２の側面１１３まで延伸する内孔１４を内部に形成する。定位ユニット１０の環状部１３は、定位本体１１の第１の側面１１２に取り付けられている。
【００１９】
モーターユニット２０は、軸線Ｌに沿って内孔１４内に挿入するように定位ユニット１０に取り付けられるハウジング２１と、ハウジング２１と内孔１４との間に嵌め込まれるステーター２２と、軸線Ｌに沿って延伸し、且つ、ハウジング２１内に固定される回転軸２５と、回転軸２５に対して相対回転可能に回転軸２５に取り付けられるローター２３と、ローター２３に接続される羽根車２４と、を有する。
【００２０】
モーターユニット２０のハウジング２１は、内部にローター２３及び回転軸２５を収容する収容空間２１３が形成されるようにカップ状に形成されると共に、内孔１４内に挿入される中空筒２１１と、中空筒２１１から軸線Ｌと直交する方向へ張り出すフランジ２１２と、を有する。
【００２１】
ポンプ前蓋３０は、羽根車２４を覆うと共に、定位本体１１の第１の側面１１２側に取り付けられる。モーターユニット２０のフランジ２１２は、定位ユニット１０の環状部１３とポンプ前蓋３０との間に挟まれて固定される。
【００２２】
放熱蓋４０は、定位本体１１の第２の側面１１３側に取り付けられると共に、定位本体１１の第２の側面１１３に当接される裏面４１と、裏面４１の反対側に位置する表面４２と、表面４２に突起状に形成される複数の放熱フィン４４と、を有する。さらに、放熱蓋４０の表面４２には、枠状の放熱外枠４３が突出するように形成されており、各放熱フィン４４は、いずれも両端部が放熱外枠４３に接続されるように、互いに対して平行に形成されている。
【００２３】
該放熱外枠４３の軸線Ｌと直交する断面の形状は、定位本体１１の外周面１１１の軸線Ｌと直交する断面の形状に相似する。
【００２４】
図１と図３に示されているように、本実施形態の組立が完了したとき、モーターユニット２０のハウジング２１が定位本体１１の内孔１４に収容される。また、ポンプ前蓋３０は、定位本体１１の第１の側面１１２側に取り付けられたことにより、モーターユニット２０のハウジング２１のフランジ２１２を圧して環状部１３に固定する。さらに、放熱蓋４０は、定位本体１１の第２の側面１１３に取り付けられている。上述したことにより、本実施形態が安定に組み立てられる。
【００２５】
また、本実施形態を使用するとき、例えば、ステーター２２を電源に電気的に接続して、ステーター２２が、ローター２３を回転軸２５により回転させる。羽根車２４がローター２３に固定接続されているので、ローター２３の回転に連れて、羽根車２４が回転する。これによって、液体がポンプ前蓋３０の流入口が設けられている流入部３０１から吸い込まれて、羽根車２４によって加圧され、加圧された液体がポンプ前蓋３０の流出口が設けられている流出部３０２へ流出する。これによって、液体を運送する。
【００２６】
また、図４に示されているように、定位本体１１は、その外周面１１１の軸線Ｌと直交する断面が八角形になるよう形成されたので、本実施形態は、同じ半径を前提として、放熱面積が従来の円柱状のブラケットより大きい。これにより、定位本体１１に放熱フィン４４を配置する必要がなくなるので、定位本体１１の構造が簡単になり、製造コストが低くなる。また、定位本体１１に放熱フィン４４が配置されていないため、本実施形態の全体的な体積が小さくなり、ダウンサイジングすることができる。
【００２７】
さらに、複数の放熱フィン４４が、定位本体１１の代わりに、放熱蓋４０の表面４２に配置されているため、本実施形態の放熱機能を更に向上させる。また、放熱外枠４３は、放熱外枠４３の軸線Ｌと直交する断面の形状が定位本体１１の外周面１１１の軸線Ｌと直交する断面の形状に相似し、さらに、放熱外枠４３の軸線Ｌと直交する断面の輪郭の内側の面積が定位本体１１の外周面１１１の軸線Ｌと直交する断面の輪郭の内側の面積より大きいように形成されているので、放熱フィン４４の放熱面積が大きくなり、本実施形態の放熱機能を更に向上させる。そのため、本実施形態の放熱機能は、従来より優れている。
【００２８】
以上のような構成とされた実施形態によれば、本考案に係るキャンドモーターポンプ装置は、定位本体１１の外周面１１１の軸線Ｌと直交する断面が多辺形に形成されたので、同じ半径を前提として、従来より、放熱面積が大きい。さらに、本考案において、放熱フィン４４の配置位置を、定位本体１１から放熱蓋４０の表面４２に変更した。これにより、キャンドモーターポンプ装置の全体的な体積が小さくなり、ダウンサイジングすることができる。よって、本考案は、優れた放熱機能を有し、且つダウンサイジングすることができるキャンドモーターポンプ装置を提供することができる。
【００２９】
以上、本考案の好ましい実施形態及び変化例を説明したが、本考案はこれらに限定されるものではなく、最も広い解釈の精神および範囲内に含まれる様々な構成として、全ての修飾および均等な構成を包含するものとする。
【産業上の利用可能性】
【００３０】
本考案に係るキャンドモーターポンプ装置は、放熱面積が従来より大きいので、従来より優れた放熱効果を有し、且つ、ダウンサイジングすることができることにより、キャンドモーターポンプに様々な応用が可能である。
【符号の説明】
【００３１】
１０  定位ユニット
１１  定位本体
１１１  外周面
１１２  第１の側面
１１３  第２の側面
１２  支持台座
１３  環状部
１４  内孔
２０  モーターユニット
２１  ハウジング
２１１  中空筒
２１２  フランジ
２１３  収容空間
２２  ステーター
２３  ローター
２４  羽根車
２５  回転軸
３０  ポンプ前蓋
３０１  流入部
３０２  流出部
４０  放熱蓋
４１  裏面
４２  表面
４３  放熱外枠
４４  放熱フィン
Ｌ  軸線
【図１】
0003225327.tif 000003
【図２】
0003225327.tif 000004
【図３】
0003225327.tif 000005
【図４】
0003225327.tif 000006